(57)【要約】【課題】環境保護に適した繊維製ストロー構造を提供する。【解決手段】環境保護に適した分解しやすいサトウキビ繊維、茶繊維繊維などの材料で成型された管本体３０を含み、該管本体の両端部分にそれぞれ入水口２０と吸飲口４０を有し、該入水口と該吸飲口の間の断面が円形を呈する円面部を有し、該円面部から該吸飲口までは、第１傾斜度で扁平とした吸飲口に至る第１扁平収縮錘面部３２を形成し、該吸飲口を略楕円形を呈する扁平収縮屈曲管口とする。前記構造により、該管本体の該吸飲口を口に含んで吸飲する時、該第１扁平収縮錘面部は、口が含む時の形状と適合するため、該管体の回転を回避し、口と該管本体の隙間を減少させ、吸飲効果及び吸飲の快適性を高める。【選択図】図１
2020081863.tif 000002
【特許請求の範囲】
【請求項１】
環境保護に適した繊維材料で成型された管本体を含み、該管本体の両端部分にそれぞれ入水口と吸飲口を有し、該入水口と該吸飲口の間に断面が円形を呈する円面部を有し、該円面部から該吸飲口までは、第１傾斜度で扁平とした第１扁平収縮錘面部を形成し、該吸飲口を略楕円形を呈する扁平収縮屈曲管口として、
該管本体の該吸飲口を口に含んで吸飲する時、該第１扁平収縮錘面部が口の形状と適合して該管体の回転を抑制すると共に口と該管本体の隙間を減少させて、吸飲効果及び吸飲の快適性を向上する、環境保護繊維ストロー構造。
【請求項２】
前記第１傾斜度は、１：３００〜６：３００である請求項１に記載の環境保護繊維ストロー構造。
【請求項３】
前記第１扁平収縮錘面部の長さは、１ｃｍ〜５ｃｍである請求項１に記載の環境保護繊維ストロー構造。
【請求項４】
前記吸飲口の両側は、それぞれ第１角度線を有する請求項１に記載の環境保護繊維ストロー構造。
【請求項５】
前記第１角度線の長さは、１ｍｍ〜１２ｍｍである請求項４に記載の環境保護繊維ストロー構造。
【請求項６】
前記円面部から該入水口までは、第２傾斜度によって扁平とした第２扁平収縮錘面部を形成し、該入水口を略楕円形を呈する扁平収縮屈曲管口にさせ、両側は、それぞれ第２角度線を有する請求項１に記載の環境保護繊維ストロー構造。
【請求項７】
前記入水口の何れか１つの該第２角度線外に飲料容器のプラスチックシールフィルムを突き破らせることができるスパイク部を突出形成する請求項６に記載の環境保護繊維ストロー構造。
【請求項８】
前記第２傾斜度は、１：３００〜６：３００である請求項６に記載の環境保護繊維ストロー構造。
【請求項９】
前記第２扁平収縮錘面部は、１ｃｍから５ｃｍである請求項６に記載の環境保護繊維ストロー構造。
【請求項１０】
前記第２角度線の長さは、１ｍｍ〜１２ｍｍである請求項６に記載の環境保護繊維ストロー構造。
【発明の詳細な説明】
【技術分野】
【０００１】
本発明は、ストロー構造、特に、環境汚染を低減し、口での吸飲の快適性を高める環境に優しい繊維ストロー構造を提供する。
【背景技術】
【０００２】
現在、飲料用のストローはほとんどがプラスチック材料でできており、さまざまな色のパターンのプラスチックストローに作ることができる。ただし、プラスチック製ストローを使用してさまざまな飲料や酸性飲料を吸飲すると、プラスチック製ストローは可塑剤や金属成分を容易に溶出し、飲食者の身体の健康に有害である。
【０００３】
しかし、プラスチックストローは通常、使用後に廃棄され、プラスチックは分解しにくい恒久的なゴミの一種であり、プラスチックを燃やすと、有毒ガス：ダイオキシンが発生し、それは、癌、免疫系、ホルモン等の傷害を引き起こす。いくつかの関連業者は、再使用可能なステンレス製のストローを開発しているが、ステンレス製ストローの洗浄は依然として多くの問題を引き起こし、ステンレス製ストローがきれいに洗浄されない場合、ストロー内で発生した細菌が次回の飲食で合わせて吸入され、身体に影響を及ぼし、病気を引き起こす可能性がある。
【０００４】
このため、本発明者は、既存のストローが抱える問題について綿密な議論を行い、関連産業の発展に長年従事した開発経験により、積極的に解決策を模索し、研究開発に継続的に取り組み、ようやく環境保護に適した繊維材ストロー構造を発明し、上記の環境と衛生を同時に満足できないことによる不便及び困難を克服している。
【先行技術文献】
【特許文献】
【０００５】
【特許文献１】実用新案登録第３２２０３３６号公報
【発明の概要】
【発明が解決しようとする課題】
【０００６】
本発明の目的は、環境保護に適した繊維材料（本実施形態はサトウキビ繊維、茶繊維またはその他の植物繊維である）で成型された管本体を含み、該管本体の両端部分にそれぞれ入水口と吸飲口を有し、該入水口と該吸飲口の間に断面が円形を呈する円面部を有し、該円面部から該吸飲口までは、第１傾斜度で第１扁平収縮錘面部を形成し、該吸飲口を略楕円形を呈する扁平収縮屈曲管口にする環境保護繊維ストロー構造を提供することにある。
【０００７】
本発明のもう１つの目的は、該吸飲口の両側は、それぞれ第１角度線を有する環境保護繊維ストロー構造を提供することにある。
【０００８】
本発明の更にもう１つの目的は、前記円面部から該入水口までは、第２傾斜度によって第２扁平収縮錘面部を形成し、該入水口を略楕円形を呈する扁平収縮屈曲管口にさせ、両側は、それぞれ第２角度線を有する環境保護繊維ストロー構造を提供することにある。
【０００９】
本発明の前記入水口の何れか１つの該第２角度線外に飲料容器のプラスチックシールフィルムを突き破らせることができるスパイク部を突出形成する環境保護繊維ストロー構造を提供することにある。
【課題を解決するための手段】
【００１０】
本発明の環境保護繊維ストロー構造は、環境保護繊維材料（本実施形態はサトウキビ繊維、茶繊維またはその他の植物繊維である）で成型された管本体を含み、該管本体の両端部分にそれぞれ入水口と吸飲口を有し、該入水口と該吸飲口の間に断面が円形を呈する円面部を有し、該円面部から該吸飲口までは、第１傾斜度で第１扁平収縮錘面部を形成し、該吸飲口を略楕円形を呈する扁平収縮屈曲管口とする。
【発明の効果】
【００１１】
本発明の環境保護繊維ストロー構造は、人の口が該管本体の該吸飲口を含んで吸飲する時、該第１扁平収縮錘面部は、口の形状と適合できる作用を有し、該管体の回転を回避し、口と該管本体の隙間を減少させ、吸飲効果及び吸飲の快適性を向上する。
【図面の簡単な説明】
【００１２】
【図１】本発明の第１立体説明図である。
【図２】図１の部分Ａの部分拡大図である。
【図３】本発明の第２立体説明図である。
【図４】本発明の第１扁平収縮錘面部の傾斜度の外観図である。
【図５】本発明の断面位置説明図である。
【図６】図５のＡ−Ａ線に沿った断面図である。
【図７】図５のＢ−Ｂ線に沿った断面図である。
【図８】図５のＣ−Ｃ線に沿った断面図である。
【図９】図５のＤ−Ｄ線に沿った断面図である。
【図１０】図５のＥ−Ｅ線に沿った断面図である。
【図１１】本発明の口で吸飲する説明図である。
【発明を実施するための形態】
【００１３】
図１から図３を参照すると、環境保護繊維ストロー構造は、生分解しやすい天然繊維材料で成型された管本体１０であり、該管本体１０の両端にそれぞれ入水口４０および吸飲口２０を有し、該入水口４０と吸飲開口２０との間に断面が円形を呈する円面部３０を有し、該円面部３０から該吸飲口２０までは、第１傾斜度α１で第１扁平収縮錘面部２１を形成し、該吸飲口２０を略楕円形を呈する扁平収縮屈曲管口とする。上記の天然繊維材料は、台湾特許公開第２０１１０７１２４号を参照することができる。
【００１４】
また、上記第１傾斜度α１は１：３００〜６：３００であり、本発明の実施例の該第１傾斜度α１は１：１００であり、すなわち、該第１扁平収縮錘面部２１の圧縮して扁平にした高さｄ１と長さＬ１との比である。該第１扁平収縮錘面部２１の高さｄ１が０．１ｍｍである場合、該第１扁平収縮錘面部２１の長さＬ１は１０ｍｍである。
【００１５】
また、本発明の該第１扁平収縮錘面部２１の長さＬ１は３ｃｍである。
【００１６】
また、図５〜図６を参照し、該第１扁平収縮錘面部２１を高さｄ１圧縮すると、幅方向には幅ｗ１が両側に張り出し、本発明の実施例の該第１扁平収縮錘面部２１の張出幅ｗ１と該第１扁平収縮錘面部２１の長さＬ１の比は１：５０であり、且つ該第１扁平収縮錘面部２１の断面積は、変化しない。
【００１７】
上記を受けて、図４〜図１０に図１を組み合わせて参照すると、該吸飲口２０の両側は、それぞれ第１角度線２２を有し、本発明の第１角度線２２の長さは、３ｍｍである。
【００１８】
次に、該円面部３０から該入水口４０までは、第２傾斜度α２で第２扁平収縮錘面部４１を形成し、該入水口４０を略楕円形を呈する扁平収縮屈曲管口とし、両側はそれぞれ第２角度線４２を有し、本発明の該第２角度線４２の長さは、３ｍｍである。
【００１９】
具体的には、該第２傾斜度α２は１：３００〜６：３００であり、本発明の実施例の第２傾斜度α２は１：１００であり、すなわち、該第２扁平収縮錘面部４１の半径方向の高さの差ｄ２および長さＬ２の比であり、該第２扁平収縮錘面部４１の半径方向の高さの差ｄ２が０．１ｍｍである場合、該第２扁平収縮錘面部４１の長さＬ２は１０ｍｍである。
【００２０】
また、本発明の第２扁平収縮錘面部４１の長さＬ２は３ｃｍである。
【００２１】
また、該第２扁平収縮錘面部４１で高さｄ２圧縮すると、幅ｗ２が両側に張出し、該第２扁平収縮錘面部４１の延在幅ｗ２と該第２扁平収縮錘面部４１の長さＬ１の比は１：５０であり、該第２扁平収縮錘面部４１の断面積は、変化しない。
前記第１扁平収縮錘面部２１及び第２扁平収縮錘面部４１をそれぞれ高さｄ１及びｄ２圧縮して幅ｗ１及びｗ２両側に張り出させて第１傾斜度α１及び第２傾斜度α２を形成するが、単に所定高さで圧縮したのみでは繊維材の弾力で復元して傾斜度を固定できないが、ストロー両側に沿って一対のローラーで挟んで折り癖を付け、さらにストロー両端近傍で両側から挟む一対のローラーの挟持力を強めて両側部にエッジ（角部）或いはリム（縁部）を形成して第１角度線２２及び第２角度線４２とすると共に、人体に無害な蝋などを含浸させて固定する。
【００２２】
好ましくは、該入水口４０の何れか１つの該第２角度線４２外に、飲料容器のプラスチックシールフィルムを突き破らせることができるスパイク部４３を突出形成し、容器の飲料内に挿入して口で吸飲させる。
【００２３】
最後に、図５を図２と併せて参照すると、該管本体１０の該吸飲口２０を口に含んで吸飲する時、該第１扁平収縮錘面部２１は、口の含む時の形状と適合する作用を有し、該管本体１０の回転を抑制し、口と該管本体１０の隙間を減少させ、吸飲力効果及び吸飲の快適性を高める。
【００２４】
このように、本発明は、優れた創造性を備えた斬新な発明であり、多くの拡張機能を備えており、同じまたは類似の製品の創作または公開使用は同じ技術分野では見られず、同時に効果が強化されている。
【符号の説明】
【００２５】
１０  管本体
２０  吸飲口
２１  第１扁平収縮錘面部
２２  第１角度線
３０  円面部
４０  入水口
４１  第２扁平収縮錘面部
４２  第２角度線
４３  スパイク部
α１  第１傾斜度
ｄ１  第１扁平収縮錘面部の圧縮高さ
Ｌ１  第１扁平収縮錘面部の長さ
ｗ２  第１扁平収縮錘面部の延伸幅
α２  第２傾斜度
ｄ２  第２扁平収縮錘面部の圧縮高さ
Ｌ２  第２扁平収縮錘面部の長さ
ｗ２  第１扁平収縮錘面部の延伸幅
【図１】
2020081863.tif 000003
【図２】
2020081863.tif 000004
【図３】
2020081863.tif 000005
【図４】
2020081863.tif 000006
【図５】
2020081863.tif 000007
【図６】
2020081863.tif 000008
【図７】
2020081863.tif 000009
【図８】
2020081863.tif 000010
【図９】
2020081863.tif 000011
【図１０】
2020081863.tif 000012
【図１１】
2020081863.tif 000013